(57)【要約】【課題】人毛よりも安価な合成繊維からなる人工毛材を用いながら人毛の艶に近い艶を有するかつらを提供することを提供すること。【解決手段】それぞれが合成繊維からなる複数の人工毛材（２０）を有するかつらであって、前記複数の人工毛材（２０）は、直毛（２２）と、山部（２４ａ）と谷部（２４ｂ）とが交互に複数並ぶ形状を有するうねり毛（２４）と、を含むこと。【選択図】図１
2016017235.tif 000002
【特許請求の範囲】
【請求項１】
それぞれが合成繊維からなる複数の人工毛材を有するかつらであって、
前記複数の人工毛材は、直毛と、山部と谷部とが交互に複数並ぶ形状を有するうねり毛と、を含む、かつら。
【請求項２】
請求項１に記載のかつらにおいて、
かつらに使用される前記複数の人工毛材の全体を１とした場合の前記うねり毛の本数の割合が、０．１〜０．６である、かつら。
【請求項３】
請求項１又は２に記載のかつらにおいて、
前記うねり毛は、前記直毛をその長手方向に直交する径方向の両側から挟み込むことにより前記山部と前記谷部とを形成可能な形状を有する金型で前記直毛を前記径方向の両側から挟み込むとともに当該直毛を加熱することにより形成されている、かつら。
【発明の詳細な説明】
【技術分野】
【０００１】
本発明は、かつらに関し、特に、合成繊維からなる人工毛材を用いたかつらに関する。
【背景技術】
【０００２】
従来、かつらとして、人毛を用いたものが広く知られている。このようなかつらは、装着時に自然な外観が得られるものの、非常に高価である。一方で、かつらに用いられる毛材として、人毛よりも安価なポリエステルやポリ塩化ビニル等の合成繊維からなる人工毛材も知られている。このような人工毛材は、人毛に比べて艶があり過ぎる場合があり、このような場合には艶の低減処理がなされる。例えば、特許文献１には、合成繊維からなる人工毛材をアルカリ処理することによりその表面に凹凸を形成し、これにより艶を低減することが開示されている。
【先行技術文献】
【特許文献】
【０００３】
【特許文献１】特開２００４−１６２１９５号公報
【発明の概要】
【発明が解決しようとする課題】
【０００４】
上記特許文献１に記載されるような艶の低減処理では、艶の低減に限界がある。すなわち、前記低減処理では、合成繊維からなる人工毛材を毛量の減少に悩む使用者の髪質に近い艶とすることが困難である。
【０００５】
本発明の目的は、人毛よりも安価な合成繊維からなる人工毛材を用いながら人毛に近い艶を有するかつらを提供することである。
【課題を解決するための手段】
【０００６】
前記課題を解決するため、本発明者らは、山部と谷部とが交互に複数並ぶ形状を有するうねり毛では、当該うねり毛に当たった光が乱反射するので、艶が有効に低減されることを見出した。
【０００７】
そこで、本発明は、それぞれが合成繊維からなる複数の人工毛材を有するかつらであって、前記複数の人工毛材は、直毛と、山部と谷部とが交互に複数並ぶ形状を有するうねり毛と、を含む、かつらを提供する。
【０００８】
本発明では、複数の人工毛材が山部と谷部とが交互に複数並ぶ形状を有するうねり毛を含むので、艶が有効に低減される。具体的に、直毛は、当該直毛に当たった光をほぼ一定の方向に反射するのに対し、うねり毛は、山部と谷部とが交互に複数並ぶ形状を有するので、当該うねり毛に当たった光が乱反射する。よって、うねり毛を含むことにより、複数の人工毛材のすべての毛材が直毛である場合に比べて艶が低減されて視認される。さらには、当該うねり毛を用いたかつらとすることによって、より使用者の髪質に近くなり、自然な外観が得られる。なお、直毛とは、略直線状に延びる形状を有するものに加え、単一の山部のみを有するように湾曲する形状を有するものを含む。
【０００９】
この場合において、かつらに使用される前記複数の人工毛材の全体を１とした場合の、前記うねり毛の本数の割合が、０．１〜０．６であることが好ましい。
【００１０】
このようにすれば、より確実に艶が低減され、かつ、より人毛に近い外観となる。具体的に、前記うねり毛の本数の割合を０．１以上にすることによって、より確実に艶が低減され、さらに、前記うねり毛の本数の割合を０．６以下にすることによって、相対的にうねり毛の量が多くなることに起因して人毛の外観に比べて不自然な外観となること、すなわち、うねり毛が目立つとともに人工毛材全体としてのまとまりが低減されること、が抑制される。
【００１１】
また、本発明において、前記うねり毛は、前記直毛をその長手方向に直交する径方向の両側から挟み込むことにより前記山部と前記谷部とを形成可能な形状を有する金型で前記直毛を前記径方向の両側から挟み込むとともに当該直毛を加熱することにより形成されていることが好ましい。
【００１２】
このようにすれば、比較的短時間でかつ簡単に直毛から均質なうねり毛を形成することができる。具体的に、直毛を前記金型で挟み込むとともに当該直毛を加熱することにより、この直毛が軟化しながら山部と谷部とが交互に複数並ぶ形状に形成されるので、直毛の加熱を行わない場合に比べて短時間でうねり毛が形成される。
【発明の効果】
【００１３】
以上のように、本発明によれば、人毛よりも安価な合成繊維からなる人工毛材を用いながら人毛の艶に近い艶を有するかつらを提供することができる。
【図面の簡単な説明】
【００１４】
【図１】本発明の一実施形態のかつらの概略図である。
【図２】図１に示すうねり毛の概略図である。
【図３】うねり毛の製造方法を示す概略図である。
【図４】うねり毛の本数の割合とグロス値との関係を示すグラフである。
【発明を実施するための形態】
【００１５】
本発明の一実施形態のかつらについて、図１〜図３を参照しながら説明する。
【００１６】
図１に示されるように、本実施形態のかつらは、かつらベース１０と、かつらベース１０に植設又は縫製等によって取り付けられておりそれぞれが合成繊維からなる複数の人工毛材２０と、を備えている。本実施形態では、人工毛材は、ポリエステルからなる繊維により形成されている。ただし、人工毛材に用いられる合成繊維は、ポリエステルからなる繊維に限られない。例えば、人工毛材は、ポリ塩化ビニル系合成繊維、ポリアクリロニトリルやモダアクリル等のポリアクリロニトリル系合成繊維、ポリエチレン、ポリプロピレン、ポリブチレンまたはポリスチレン等のポリオレフィン系合成繊維、ナイロン等のポリアミド系合成繊維、ポリビニルアルコール系合成繊維、ポリ塩化ビニリデン系合成繊維、ポリエーテルエステル系合成繊維またはポリウレタン系合成繊維、またはアセテート等からなる繊維により形成されてもよい。なお、図１では、かつらベース１０の一部のみに複数の人工毛材２０が取り付けられた例が示されているが、実際には、複数の人工毛材２０は、かつらベース１０の全域にわたって取り付けられている。
【００１７】
図１に示されるように、複数の人工毛材２０は、直毛２２と、うねり毛２４と、を含んでいる。これら直毛２２及びうねり毛２４は、実質的に同じ長さに設定されている。
【００１８】
うねり毛２４は、図２に示されるように、山部２４ａと谷部２４ｂとが交互に複数並ぶ形状を有する。このうねり毛２４は、艶の低減機能を有している。具体的に、うねり毛２４は、複数の山部２４ａと複数の谷部２４ｂとが交互に並ぶ形状を有するので、当該うねり毛２４に当たった光は乱反射し、これにより艶が有効に低減される。本実施形態では、うねり毛２４は、その長手方向の全域にわたって山部２４ａ及び谷部２４ｂを有している。うねり毛２４の互いに隣接する山部２４ａ間の第１距離Ｌは、１．０ｍｍ〜５０ｍｍに設定されることが好ましく、２．０ｍｍ〜２０ｍｍに設定されることがより好ましい。本実施形態では、前記第１距離Ｌが長手方向の全域にわたって一定となるように山部２４ａ及び谷部２４ｂが形成されている。また、複数の山部２４ａの並び方向に直交する方向についての山部２４ａと谷部２４ｂとの間の第２距離Ｒは、０．５ｍｍ〜１０ｍｍに設定されることが好ましく、０．５ｍｍ〜５．０ｍｍに設定されることがより好ましい。
【００１９】
また、かつらに使用される複数の人工毛材２０全体を１とした場合のうねり毛２４の本数の割合は、０よりも大きくかつ０．６以下に設定されることが好ましい。この割合は、０．１〜０．６に設定されることがより好ましく、さらに好ましくは、０．２〜０．５に設定される。本実施形態では、前記割合は、０．３に設定されている。
【００２０】
直毛２２は、複数の人工毛材２０のうちのうねり毛２４以外の人工毛材のことを指し、実質的に直線状と認められる形状を有する。例えば、直毛２２には、略直線状に延びる形状を有するもの、その長手方向と直交する径方向の一方に向かって凸となるようにごく滑らかに湾曲する形状を有するもの、略Ｓ字状に滑らかに湾曲する形状を有するもの、が含まれる。
【００２１】
次に、うねり毛２４の製造方法の一例を図３を参照しながら説明する。
【００２２】
うねり毛２４は、直毛２２をその長手方向に直交する径方向の両側から金型で挟み込むとともに当該直毛２２を加熱することにより形成されることが可能である。前記金型は、直毛２２を前記径方向の両側から挟み込むことにより複数の山部２４ａと複数の谷部２４ｂとを形成可能な形状を有する。図３に示す例では、前記金型として、互いに噛合する一対の外歯車３０が用いられている。すなわち、本実施形態では、互いに反対方向に回転する一対の外歯車３０間に直毛２２を送り込むとともに当該直毛２２を加熱する。これにより、直毛２２が軟化しながら複数の山部２４ａと複数の谷部２４ｂとを有する形状に形成される。この方法では、直毛２２の加熱を行わない場合に比べて短時間でかつ簡単に直毛２２から均質なうねり毛２４を形成することができる。直毛２２の加熱温度は、１００℃〜１５０℃の間に設定されることが好ましい。なお、前記第１距離Ｌ及び前記第２距離Ｒは、各歯車の歯丈、ピッチ、回転速度、あるいは加熱温度を調整することにより、適宜調整が可能である。
【００２３】
以上説明したように、本実施形態のかつらでは、複数の人工毛材２０が山部２４ａと谷部２４ｂとが交互に複数並ぶ形状を有するうねり毛２４を含むので、艶が有効に低減される。具体的に、直毛２２は、当該直毛２２に当たった光をほぼ一定の方向に反射するのに対し、うねり毛２４は、山部２４ａと谷部２４ｂとが交互に複数並ぶ形状を有するので、当該うねり毛２４に当たった光が乱反射する。よって、うねり毛２４を含むことにより、複数の人工毛材２０のすべての毛材が直毛２２である場合に比べて艶が低減されて視認される。さらに、人は年齢を重ねるにつれてうねり毛が増加することが知られており、かつらの使用を所望する年代（例えば、３０代〜５０代）においては、地毛の中にうねり毛が混入している場合が多い。よって、うねり毛２４を含むことにより、使用者の髪質に近くなり、より自然な外観が得られる。
【００２４】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００２５】
例えば、上記実施形態では、うねり毛２４は、その長手方向の全域にわたって複数の山部２４ａと複数の谷部２４ｂとが交互に並ぶ形状を有する例が示されたが、うねり毛２４は、その長手方向の一部のみに複数の山部２４ａと複数の谷部２４ｂとが交互に並ぶうねり部を有していてもよい。例えば、かつらベース１０が頭頂部のうちつむじを含む領域に装着される場合、前記うねり部は、当該かつらの装着状態において頭頂部の骨（頭頂骨）が側方に張り出している部分（以下、「張出部」という）を跨ぐ領域に形成されることが好ましい。具体的に、人工毛材のうち張出部を跨ぐ部位は、当該部位に当たった光の反射光が相対的に強く視認される部位と弱く視認される部位との境界に位置し、艶が明確に視認されやすい部位であるからである。このため、うねり毛２４は、その長手方向のうち特に前記張出部を跨ぐ領域に前記うねり部を含むことにより、効果的に艶が低減される。
【００２６】
また、上記実施形態では、うねり毛２４は、その長手方向の全域にわたって前記第１距離Ｌが一定に形成されている例が示されたが、この第１距離Ｌは一定に限られず、互いに隣接する第１距離Ｌ同士が相互に異なっていてもよい。この場合、うねり毛２４は、１０ｃｍあたりに２個〜１００個の山部２４ａを含むことが好ましく、５個〜５０個の山部２４ａを含むことがさらに好ましい。
【００２７】
また、各人工毛材は、必要に応じてその表面に凹凸を形成するためのアルカリ処理がなされてもよい。
【実施例】
【００２８】
次に、図４を参照しながら、上記実施形態のかつらの実施例を説明する。図４は、かつらに使用される複数の人工毛材２０全体を１とした場合の、うねり毛２４の本数の割合と複数の人工毛材２０全体のグロス値との関係を示している。具体的に、図４は、前記割合を、０から１まで０．１ずつ増やした場合のグロス値の推移を示したグラフである。なお、前記割合が０のものは、他の実施例に対する比較例である。また、グロス値は、検査対象物（本実施形態では複数の人工毛材２０）の表面に光を当てたときの反射の程度を表す量を示す値であり、この値が大きいほど艶があること、換言すれば、この値が小さくなるほど艶が低減されていることを表す。本実施例では、グロス値は、色差計（コニカミノルタ株式会社製／分光測色計ＣＭ−７００ｄ／拡散照明・８°方向受光）により測定した。また、本実施例では、直毛２２及びうねり毛２４の長さを約３０ｃｍに設定し、複数の人工毛材２０全体で４ｇ（約２３０本）となるように前記割合を変えてグロス値の測定を行った。この実施例では、人工毛材として、ポリエステルからなる繊維により形成されたものが用いられている。
【００２９】
図４に示されるように、人毛のグロス値は２．８１であり、複数の人工毛材２０全体のグロス値は、前記割合が増加するにしたがって人毛のグロス値に近づくように低下することが確認された。また、前記うねり毛２４の本数の割合が、０．１〜０．６である場合に、より確実に艶が低減され、かつ、より人毛に近い外観となることが確認された。具体的に、前記うねり毛の本数の割合が０．１以上の場合に、艶の低減がより明確に視認され、さらに、前記割合が０．６を超える場合、グロス値については人毛のそれに近づくものの、相対的にうねり毛２４の量が多くなるので、うねり毛２４が目立つとともに人工毛材全体としてのまとまりが低減され、人毛の外観に比べて不自然な外観となる場合がある一方、前記割合が０．６以下の場合、相対的にうねり毛２４の量が多くなることに起因して前記のように不自然な外観となるのが抑制されることが確認された。
【符号の説明】
【００３０】
１０    かつらベース
２０    複数の人工毛材
２２    直毛
２４    うねり毛
２４ａ  山部
２４ｂ  谷部
３０    一対の歯車（金型）
【図１】
2016017235.tif 000003
【図２】
2016017235.tif 000004
【図３】
2016017235.tif 000005
【図４】
2016017235.tif 000006